(57)【要約】【課題】新設、既設を問わず建築物の屋根に施工される多種の縦葺き（縦張り）外装構造に適用でき、太陽電池システムや緑化構造等を取り付けることができる持出部材の設置構造、外設部材の取付構造、及び改修構造を提供する。【解決手段】本発明の持出部材の設置構造は、山状部分２１と谷状部分２２とが連続する屋根面２に下側金具１Ａと上側金具１Ｂとからなる持出部材１を設置する構造であって、前記下側金具１Ａは、山状部分２１を構成する傾斜面に沿わせる脚部１１，１１と、該脚部１１，１１の下端の外側に位置する連結受部１３，１３とを備えてなり、前記上側金具１Ｂは、前記脚部１１，１１を覆う被覆部１５，１５と、該被覆部１５，１５から外側へ延在する連結部１６，１６とを備えてなり、屋根面の山状部分２１に下側金具１Ａの脚部１１，１１を沿わせた状態で固定具１ｄで固定し、上側金具１Ｂを被せるように配して連結受部１３と連結部１６ととが接合するように固定したことを特徴とする。【選択図】図１
2011117272.tif 000002
【特許請求の範囲】
【請求項１】
山状部分と谷状部分とが連続する屋根面に下側金具と上側金具とからなる持出部材を設置する構造であって、
前記下側金具は、山状部分を構成する傾斜面に沿わせる脚部と、該脚部の下端の外側に位置する連結受部とを備えてなり、
前記上側金具は、前記脚部を覆う被覆部と、該被覆部から外側へ延在する連結部とを備えてなり、
屋根面の山状部分に下側金具の脚部を沿わせた状態で固定具で固定し、上側金具を被せるように配して連結受部と連結部とが接合するように固定したことを特徴とする持出部材の設置構造。
【請求項２】
下側金具の連結受部に上側金具の連結部を上方から沿わせて締着具にて締着したことを特徴とする請求項１に記載の持出部材の設置構造。
【請求項３】
下側金具の連結受部に上側金具の連結部を側方から沿わせて端縁を係止したことを特徴とする請求項１に記載の持出部材の設置構造。
【請求項４】
固定具は、止水ゴムを介在させた状態で固定されていることを特徴とする請求項１〜３の何れか一項に記載の持出部材の設置構造。
【請求項５】
固定具を取り付けた上に防水材が敷設されていることを特徴とする請求項１〜４の何れか一項に記載の持出部材の設置構造。
【請求項６】
山状部分と谷状部分とが連続する屋根面に請求項１〜５の何れか一項に記載の持出部材の設置構造を設置し、さらにその取付受部に支持部材を固定し、該支持部材に外設部材を取り付けてなることを特徴とする外設部材の取付構造。
【請求項７】
山状部分と谷状部分とが連続する屋根面に請求項１〜５の何れか一項に記載の持出部材の設置構造を設置し、さらにその取付受部に支持部材を固定し、該支持部材上に改修屋根を構築してなることを特徴とする改修構造。
【発明の詳細な説明】
【技術分野】
【０００１】
本発明は、新設、既設を問わず建築物の屋根に施工される多種の縦葺き（縦張り）外装構造に適用でき、太陽電池システムや緑化構造等を取り付けることができる持出部材の設置構造、外設部材の取付構造、及び改修構造に関する。
【背景技術】
【０００２】
近年、社会的情勢及び政治的情勢が相俟って太陽エネルギー変換モジュールへの期待はますます高まっており、既設の構造物や建築物の屋根面への太陽電池パネルの取り付け要請もまた高まっている。
他方、二酸化炭素を減少させるために、屋根面を緑化して温度低下や光合成を行わせる試みも盛んに行われている。
【０００３】
従来、縦葺き屋根上に太陽エネルギー変換モジュールや緑化構造等の外設部材を取り付ける場合は、屋根の縦桟部分（屋根板もしくはカバー）に直接釘（ビス）等を打ち込んで固定したり、屋根材のハゼ部（縦桟）の外側を金具で挟み、ボルトで締着して取り付ける方法が知られている。
特に太陽エネルギー変換モジュールの場合には、国内だけでも数社に及ぶ各メーカー毎に太陽電池パネルのサイズが異なるため、専用の固定金具の上に鋼材を桁状に取り付けする方法が採られている。
【発明の概要】
【発明が解決しようとする課題】
【０００４】
しかし、前記屋根材のハゼ部（縦桟）の外側を金具で挟み込む方法では、ボルトの締着強度が十分でないと、ズレ動いたり落下することがあり、締め付けすぎると、ハゼ部や金具が変形又は破断することがあった。
なお、屋根面を構築する屋根材メーカーも、前記太陽エネルギ変換モジュールのメーカーと同様に国内だけでも数社に及んでおり、それぞれの異なる仕様において、各種の屋根材に対して持出部材を取り付けるための構造が提案されている。
【０００５】
そこで、本発明は、建築物の屋根に施工される多種の縦葺き（縦張り）外装構造に適用でき、太陽電池システムや緑化構造等を取り付けることができる持出部材の取付構造、外設部材の支持構造、及び外装構造を提案することを目的とする。
【課題を解決するための手段】
【０００６】
本発明は、上記に鑑み提案されたものであって、山状部分と谷状部分とが連続する屋根面に下側金具と上側金具とからなる持出部材を設置する構造であって、前記下側金具は、山状部分を構成する傾斜面に沿わせる脚部と、該脚部の下端の外側に位置する連結受部とを備えてなり、前記上側金具は、前記脚部を覆う被覆部と、該被覆部から外側へ延在する連結部とを備えてなり、屋根面の山状部分に下側金具の脚部を沿わせた状態で固定具で固定し、上側金具を被せるように配して連結受部と連結部ととが接合するように固定したことを特徴とする持出部材の設置構造に関するものである。
【０００７】
また、本発明は、前記持出部材の設置構造において、下側金具の連結受部に上側金具の連結部を上方から沿わせて締着具にて締着したことを特徴とする持出部材の設置構造をも提案する。
【０００８】
また、本発明は、前記持出部材の設置構造において、下側金具の連結受部に上側金具の連結部を側方から沿わせて端縁を係止したことを特徴とする持出部材の設置構造をも提案する。
【０００９】
また、本発明は、前記持出部材の設置構造において、固定具は、止水ゴムを介在させた状態で固定されていることを特徴とする持出部材の設置構造も提案する。
【００１０】
また、本発明は、前記持出部材の設置構造において、固定具を取り付けた上に防水材が敷設されていることを特徴とする持出部材の設置構造をも提案する。
【００１１】
さらに、本発明は、山状部分と谷状部分とが連続する屋根面に前記何れかの持出部材の設置構造を設置し、さらにその取付受部に支持部材を固定し、該支持部材に外設部材を取り付けることを特徴とする外設部材の取付構造をも提案するものである。
【発明の効果】
【００１２】
本発明の持出部材の設置構造は、屋根の山状部分に下地金具を沿わせて固定具にて固定するので、屋根に強固に取り付けることができ、それを覆うように配した上側金具と、その下方に位置する連結受部とが接合するように固定したので、固定具によって形成される穿孔への雨水の浸入を上側金具が阻止し、確実に屋根上に取り付けることができる。
なお、各メーカーの種々の屋根仕様に対し、下側金具は、山状部分を構成する傾斜面に沿わせる脚部の傾斜角度を変更すればよく、また上側金具は、前記脚部を覆う被覆部の傾斜角度を変更すればよいので、容易に適用させることができる。したがって、本発明を適用する屋根としては、新設、既設を問うものではないが、特に既設の屋根に好適に利用することができる。
【００１３】
また、下側金具の連結受部に上側金具の連結部を上方から沿わせて締着具にて締着する場合、強固な取付強度が得られ、既設屋根が関与しない金具同士の締着であるため、締めすぎを心配することなく確実に固定することができる。
【００１４】
また、下側金具の連結受部に上側金具の連結部を側方から沿わせて端縁を係止する場合には、前記締着具を用いる接合のように取付ボルトやナット等の締着具、或いはスパナやレンチ等の締め付け用治具を必要とせず、側方からスライドさせて容易に取付作業を行うことができる。
【００１５】
また、固定具は、止水ゴムを介在させた状態で固定されている場合や固定具を取り付けた上に防水材が敷設されている場合、固定具によって形成される穿孔への雨水の浸入を止水ゴムや防水材が防止する役割を果たすため、雨仕舞いがより確実なものになる。
【００１６】
さらに、本発明の外設部材の取付構造は、前述のように屋根に強固に取り付けた持出部材に桁行き方向に連続する支持部材を取り付け、該支持部材に外設部材を取り付けたものであるから、支持部材の任意の位置に外設部材を取り付けることができ、高重量の太陽電池システムや緑化構造などの設置にも対応することができる。
【図面の簡単な説明】
【００１７】
【図１】（ａ）本発明の持出部材の設置構造の一実施例（第１実施例）の要部を示す流れ方向から見た断面図、（ｂ）用いた持出部材を構成する各部材の拡大断面図である。
【図２】（ａ）第１実施例の要部の拡大平面図、（ｂ）その桁行き方向の拡大側面図である。
【図３】（ａ）本発明の持出部材を構成する下側金具と上側金具との連結以前の状態を示す流れ方向から見た拡大断面図、（ｂ）その桁行き方向から見た拡大側面図、（ｃ）連結した状態を示す流れ方向から見た拡大断面図、（ｄ）その桁行き方向から見た拡大側面図である。
【図４】（ａ）本発明の持出部材に太陽電池パネルを取り付けた取付構造の一実施例を示す断面図、（ｂ）その側断面図である。
【図５】（ａ）本発明の持出部材に縦葺き外装構造を取り付けた改修構造の一実施例を示す断面図、（ｂ）その側断面図である。
【図６】（ａ）本発明の持出部材の設置構造の他の一実施例（第２実施例）を要部を示す流れ方向の断面図、（ｂ）その平面図、（ｃ）その側断面図、（ｄ）用いた持出部材を構成する各部材の拡大断面図である。
【図７】（ａ）第２実施例にて屋根面へ下側金具を取り付けた状態を示す断面図、（ｂ）上方から防水カバーを臨ませた状態を示す断面図、（ｃ）上方金具を取り付ける手順を示す断面図、（ｄ）上方金具をスライドさせる状態を示す側断面図、（ｅ）上方金具を所定位置に配した状態を示す側断面図である。
【発明を実施するための形態】
【００１８】
本発明の持出部材の設置構造は、下側金具と上側金具とからなる持出部材を、山状部分と谷状部分とが連続する屋根面に設置する構成である。なお、持出部材という名称に関し、持出金具（もちだしかなぐ）という名称が一般的であるが、金属製に限定されるものではなく、例えば硬質の樹脂成型品でもよいため、持出部材とした。また、下側金具と上側金具という部材についても、例えば硬質の樹脂成形品でもよい。
以下に、この持出部材を構成する（Ａ）下側金具、（Ｂ）上側金具について順に説明する。
【００１９】
（Ａ）下側金具
本発明に用いられる下側金具は、持出部材を屋根に取り付けるための部材であって、屋根面の山状部分を構成する二つの傾斜面に沿わせる二つの脚部と、各脚部の下端の外側に位置する二つの連結受部を備える構成である。
前記脚部は、後述する図示実施例では、単なる傾斜片であり、特にその形状構成を限定するものではない。
前記連結受部は、後述する上側金具の連結部と接合するように固定されるものであり、具体的に上方から連結部を沿わせて締着具にて締着する態様（以下、第１の態様という）でもよいし、側方から連結部を沿わせて端縁を係止する態様（以下、第２の態様という）でもよい。
また、この連結受部は、前述のように脚部の下端の外側に位置する外向き片であるが、略水平な延在片としてもよいし、傾斜片としてもよく、特にその形状構成を限定するものではない。
【００２０】
この下側金具は、脚部に固定具を打ち込んで固定するものであるから、固定具によって形成される穿孔への雨水の浸入を防止するため、予め止水ゴムを介在させた状態で固定具を固定することが望ましい。
また、同様な理由により、固定具を取り付けた上に防水シート等の防水材で被覆することが望ましい。
固定具によって形成される穿孔への雨水の浸入は、後述する上側金具が覆うように配されることにより防止されるが、これらの止水ゴムや防水材によって、より確実に雨水の浸入が防止されるものとなり、雨仕舞いがより確実なものになる。
【００２１】
このように下側金具は、極めて簡易な構成であるから、各メーカーの種々の屋根仕様に対し、山状部分を構成する傾斜面に沿わせる脚部の傾斜角度を変更すればよい。具体的には、予め各メーカーの屋根仕様に応じた傾斜角度に成形しておく方法と、近似する数種類の傾斜角度に成形しておく方法と、現場にて角度調整する方法などがあり、適宜に選択すればよい。
【００２２】
（Ｂ）上側金具
本発明に用いられる上側金具は、その上方に支持部材や外設部材を取り付けるための部材であって、前記脚部を覆う被覆部と、該被覆部から外側の外側に位置する連結部とを備える構成である。
前記被覆部は、前記下側金具の脚部を覆うものであればよく、必ずしも平行状でなくてもよい。
前記連結部は、前記下側金具の連結受部と接合するように固定されるものであり、具体的には上方から連結受部に沿わせて締着具にて締着する第１の態様でもよいし、側方から連結受部に沿わせて端縁を係止する第２の態様でもよく、これらを適宜に組み合わせてもよい。或いはまた、流れ方向へのズレ留めが行われ、上方へ外れない構成であれば、具体的な接合の構成は限定するものではなく、例えば嵌合等による周知の一体化手段を採用してもよい。
また、この連結部は、前述のように外側の外側に位置する構成であるが、後述する図示実施例のように略水平な外向き片（第１実施例）としてもよいし、傾斜片の下端を裏面側へ折り返した構成（第２実施例）としてもよく、特にその形状構成を限定するものではない。
【００２３】
前記第１の態様において、上側金具には、上方へ突出する取付受部を設けるようにしてもよい。この取付受部は、後述する図示実施例における屋根面上の固定金具を避ける程度に上方に突出していればよく、また、図実施例における支持金具を取り付けるための取付具の収容空間を形成する程度に上方に突出していればよく、特にその形状構成を限定するものではない。
【００２４】
このように上側金具も、前記下側金具と同様に極めて簡易な構成であるから、各メーカーの種々の屋根仕様に対し、前記脚部を覆う被覆部の傾斜角度を変更すればよい。この被覆部は、前記脚部を覆えばよいので、前記脚部の傾斜角度と同様か又はそれより広く形成されていればよい。特にこの上側金具としては、外設部材を支持する強度を有することが望ましいため、アルミ押出成形品やメッキ鋼板、ステンレス鋼板等のプレス加工品などが望ましい。
【００２５】
なお、本発明の持出部材を設置する屋根面は、前述のように山状部分と谷状部分とが連続する構成を有するものであればよく、新築でも既設でもよいが、特に既設屋根への太陽エネルギー変換モジュールや緑化構造等の各種外設部材の取付けに好適であり、改修屋根の構築にも適用できる。
【００２６】
このような下側金具と上側金具との二部材からなる本発明に用いる持出部材には、外設部材を取り付ける支持部材を直接的に取り付けてもよいし、後述する図示実施例のように支持金具を介して支持部材を取り付けて外設部材を取り付けるようにしてもよい。支持金具を用いる場合には、上側金具の取付受部に予め上側金具の取付け以前に支持金具を一体的に固定しておいてもよいし、上側金具の取付け後に支持金具を固定してもよい。
【００２７】
前述のように支持金具は必ずしも必要ではないが、外設部材の取付部になる部材であって、特にその形状構成を限定するものではない。例えばこの支持金具には、支持部材を介して外設部材を取り付けるようにしてもよいし、直接的にこの支持金具に外設部材を取り付けるようにしてもよい。なお、特に限定するものではないが、比較的軽量の外設部材（例えばアンテナや避雷針など）であれば、支持部材を介さずに直接的にこの支持金具に取り付ければよいし、比較的高重量の外設部材（例えば太陽電池パネルや緑化構造）であれば、桁行き方向に連続する支持部材を介して取り付ければよい。
例えばこの支持金具は、後述する図示実施例のように略Ｕ字状のピース材としてもよく、所定間隔を隔てて配設された複数の支持金具に対し、桁行き方向に連続する支持部材を取り付けるようにしてもよい。すなわち、ピース状の支持金具は、汎用のレンチ等の治具を用いて上側金具を取り付ける際に支障がなく、長尺な支持部材の取り付けを容易にする位置規制の役割も果たす。
【００２８】
そして、これらの下側金具，上側金具から構成される本発明の持出部材を設置する手順は、以下のとおりである。すなわち本発明の持出部材の設置施工方法は、以下の手順にて行われる。
【００２９】
まず、第１の工程として、屋根面の山状部分に下側金具を固定具にて固定する。
その際、前述のように予め設置する屋根面に応じた傾斜角度の脚部を備える下側金具を選定するか、或いは下側金具の脚部を、設置する屋根面の山状部分の傾斜角度に角度調整して山状部分を構成する傾斜面に脚部を沿わせ、固定具にて固定する。
【００３０】
また、前述のように、予め止水ゴムを介在させた状態で固定具を固定するか、固定具を取り付けた後にその上を防水材で被覆し、雨水の浸入を防止することが望ましい。
【００３１】
次に、第２の工程として、上側金具を被せるように配設して連結受部と連結部とが接合するように固定する。
その際、前記下側金具の脚部を覆うように前記上方金具の被覆部を配すると共に、前記下側金具の連結受部と接合するように前記上方金具の連結部を配した状態で固定するのであるが、前記第１の態様としては、下側金具の連結受部に上側金具の連結部を上方から沿わせて締着具にて締着する。前記第２の態様としては、下側金具の連結受部に上側金具の連結部を側方から沿わせて端縁を係止する。
なお、前述のように予め上側金具の取付け以前に前記支持金具を一体的に取り付けておくようにしてもよい。このように予め上側金具の取付受部に支持金具を取り付けておいても、前記第１の態様にも前記第２の態様にも何等支障がない。
【００３２】
その後、前記上側金具の取付受部に、必要に応じて支持金具を固定してもよい。
前述のように予め上側金具の取付け以前に支持金具を一体的に取り付けておいてもよいが、ここでは、上側金具の取付け後に、支持金具を取り付ける態様を説明する。
前述のように上側金具の取付受部は、上方へ突出するように設けられているので、後述する図示実施例のように支持金具を取付具にて容易に固定することができる。
【００３３】
外設部材を支持する支持部材は、前記上側金具の取付受部に直接的に取り付けてもよいし、前記支持金具を介して間接的に取り付けてもよい。
この支持部材は、特にその形状や構成等を限定するものではないが、後述する図示実施例のように桁行き方向に連続する逆Ｕ字状の長尺材又は定尺材でもよいし、流れ方向に連続する長尺材又は定尺材でもよい。
【００３４】
前記支持部材に取り付けられる外設部材としては、太陽電池システムを後述する図示実施例にて説明するが、それに限定するものではなく、屋根面に適用される外設部材であれば、例えば緑化構造でも、雪止め金具でもよいし、避雷針、アンテナなどでもよい。
この外設部材の配設位置は、前記支持部材の任意の位置に取り付けることができるので、屋根面の任意の位置に取り付けることができる。
また、前記支持部材に取り付けられる改修構造としても、後述する図示実施例に限定されるものではなく、どのような形式の屋根を採用してもよい。
【実施例】
【００３５】
図１に示す本発明の持出部材の設置構造の第１実施例は、山状部分２１と谷状部分２２とが連続する屋根面２に下側金具１Ａと上側金具１Ｂと支持金具１Ｃとからなる持出部材１を設置してなる。なお、図１における符号２０は、山状部分２１と谷状部分２２とを備える屋根材を重合させて接続するための固定金具である。
【００３６】
前記下側金具１Ａは、屋根面２の山状部分２１を構成する傾斜面に沿わせる脚部１１，１１と、該脚部１１，１１の下端の外側に位置する連結受部１３，１３とを備えてなる構成である。
【００３７】
この第１実施例における前記下側金具１Ａは、図１（ｂ）の下段及び図３（ａ），（ｂ）に示すように略門状であって、図１（ａ）に示すように取り付ける縦葺き外装構造の山状部分２１の頂部及び傾斜面に止水ゴム（シート）３ａを介して載置状に配され、山状部分２１を構成する傾斜面に脚部１１，１１を沿わせた状態で固定具１ｄにて固定されるものであり、脚部１１，１１をつなぐ上面部１２は、山状部分Ａの頂部に載置され、連結受部１３，１３は、それぞれ略水平状に配設される。
【００３８】
また、この第１実施例における前記下側金具１Ａの固定具１ｄを取付けた上には、図１（ａ）及び図２に示すように取り付ける防水材（シート）３ｂが敷設されている。
この防水材３ｂや前記止水ゴム３ａは、それぞれ固定具１ｄによって形成される穿孔への雨水の浸入を防止する役割を果たすため、雨仕舞いがより確実なものになる。
【００３９】
前記上側金具１Ｂは、上方へ突出する取付受部１４と、前記下側金具１Ａの脚部１１，１１を覆う被覆部１５，１５と、該被覆部１５，１５から外側へ延在する連結部１６，１６とを備える構成である。
【００４０】
この第１実施例における前記上側金具１Ｂは、図１（ｂ）の中段及び図３（ａ），（ｂ）に示すように略中央に取付受部１４が上方へ突出するように設けられる、すなわち上面部１２と空間を隔てて覆うように取付受部１４が配設される以外は、前記下側金具１Ａと相似する略門状であって、被覆部１５は前記脚部１１と、連結部１６は前記連結受部１３と、それぞれ相似状の形状を有する。
そして、この上側金具１Ｂを上方から被せるように配し、連結受部１３と連結部１６とを重合状に沿わせた状態で締着ボルト１ｅを裏面側から配して表面側で締着ナット１ｆにて締着した。
【００４１】
前記支持金具１Ｃは、図１（ｂ）の上段及び図２（ｂ）に示すように前面及び後面が略垂直状に配される略Ｕ字状のピース材であり、前記上側金具１Ｂの配設以前に予め固定しておいてもよいし、前記上側金具１Ｂの配設後に固定するようにしてもよく、図示実施例では、取付受部１４の裏面側から取付ボルト１ｇを取付け、表面側で取付ナット１ｈで留め付けた。
【００４２】
そして、これらの下側金具１Ａ，上側金具１Ｂ，支持金具１Ｃから構成される持出部材１を屋根面２に設置する手順は、以下のとおりである。すなわち第１実施例の持出部材１の設置施工方法は、以下の手順にて行われる。
【００４３】
まず、第１の工程として、図３（ａ），（ｂ）に示すように屋根面２の山状部分２１に前記構成の下側金具１Ａを固定具１ｄにて固定する。
その際、前述のように予め設置する屋根面２の山状部分２１に応じた傾斜角度の脚部１１，１１を備える下側金具１Ａを選定するか、或いは下側金具１Ａの脚部１１，１１を、設置する屋根面２の山状部分２１の傾斜角度に角度調整して山状部分２１を構成する傾斜面に脚部１１，１１を沿わせ、固定具１ｄにて固定する。
【００４４】
また、固定具１ｄの固定に際しては、予め止水ゴム３ａを介在させた状態で固定具１ｄを固定し、加えて固定具１ｄを取り付けた後にその上に防水材３ｂで被覆し、雨水の浸入を防止するようにした。
【００４５】
次に、第２の工程として、図３（ｃ），（ｄ）に示すように前記構成の上側金具１Ｂを被せるように配設して締着具１ｅ，１ｆにて固定する。
その際、前記下側金具１Ａの脚部１１，１１を覆うように被覆部１５，１５を配すると共に、前記下側金具の連結受部１３，１３と重合するように連結部１６，１６を配した状態で締着具１ｅ，１ｆを締着した。この状態で上面部１２の上方には、取付受部１４との間に空間部が形成されている。
【００４６】
その後、前記上側金具１Ｂの取付受部１４に、前記構成の支持金具１Ｃを固定する。
なお、予め上側金具１Ｂの取付け以前に前記支持金具１Ｃを一体的に取り付けておくようにしてもよい。
前記上側金具１Ｂの取付受部１４は、上方へ突出するように設けられているため、前述のようにこの取付受部１４と下側金具１Ａの上面部１２との間には、空間部が形成されているため、支持金具１Ｂを取り付けるための取付具（取付ボルト１ｇの頭部）を収容する空間として利用できる。
【００４７】
このように本発明の第１実施例では、山状部分２１と谷状部分２２とが連続する屋根面２に、脚部１１と連結受部１３とを備える下側金具１Ａを固定具１ｄにて固定し、取付受部１４と被覆部１５と連結部１６とを備える上側金具１Ｂを覆うように配した状態で連結受部１３と連結部１６とを重合した状態で締着具１ｅ，１ｆにて締着した。
したがって、固定具１ｄによって形成される穿孔への雨水の浸入を上側金具１Ｂが阻止し、確実に屋根面２上に取り付けることができる。
【００４８】
図４に示す外設部材の取付構造の実施例は、前記持出部材１に、外設部材として太陽電池システム（太陽電池パネル７）を取り付けた例を示すものであり、桁行き方向に長尺な支持部材４に対して直交するように水流れ方向に連続する縦桟６ａを固定具６１にて取付け、この縦桟６ａ上に外設部材（外設構築物）として太陽エネルギー変換モジュール（太陽電池）７１を一体的に備えるパネル７を固定した構成である。
【００４９】
図示実施例の太陽電池パネル７は、表面側に透光材が配された太陽電池７１と、その端縁を保持すると共に裏面側に中空のスペース部分を備えるフレーム材７２，７２（なお、流れ方向の裏面に配するフレーム材を７２'とする）とが一体的に取り付けられた構成である。
また、水流れ方向に隣接する太陽電池パネル７，７は、その裏面側に配される断面略Ｗ字状のジョイント部材６ｂにて連結されている。
前記縦桟６ａは、水流れ方向に連続する長尺材、又は定尺材を連結した構成であって、排水部材（排水部６３）を兼ね、左右の脚片の下端を固定具６１，６１にて支持部材４に取り付けられている。また、この縦桟６ａの上方には、流水部材６ｂが固定され、排水部６３に連絡するように横方向に配設されている。
前記ジョイント部材６ｂは、連結部材と流水部材とを兼ねるものであって、流れ方向に配設されて排水部材を兼ねる縦桟６ａと連絡されて雨水等を水下側へ流下させる役割も果たす。そして、樋状部分（流水部６５）を形成する水下側の側面部６５１の上端がシール材を介して太陽電池パネル７の裏面を支持し、水上側の側面部は低く形成されている。そのため、水上側に配された太陽電池パネル７の裏面側に生じた結露水などはその裏面をつたって樋状部分に導かれる。
また、縦桟６ａの樋状部分（流水部６３）を形成する底面部の略中央から略垂直状に立ち上がる隆状部６４は、太陽電池パネル７，７のフレーム材７２，７２間に沿うように配され、太陽電池パネル７，７の配設に際し、容易に取付位置を定めることができ、横方向に隣接する太陽電池パネル７，７間には、化粧カバー７ｃを固定具７ｄにて隆状部６４に取り付ける。
【００５０】
このような構成を有する太陽電池パネル７の取付構造は、前述のように容易に設置した持出部材１に、支持金具１Ｃを介して桁行き方向に取り付けた支持部材４に対し、外設部材として太陽電池パネル７を取り付けたものであって、取り付ける太陽電池パネル７の構成について全く制限されるものではないため、各種メーカー及び各種寸法、各種仕様の太陽電池パネルを適用することができ、極めて実用的価値が高いものである。
【００５１】
図５に示す実施例は、前記支持部材４に既設屋根と異なる縦葺き外装構造の改修屋根を構築する例を示す。図示実施例における改修屋根は、前記構成の支持部材４上に保持部材（８ａ，８ｂ）を固定し、該保持部材（８ａ，８ｂ）に縦葺き外装材（以下、単に外装材という）９ａ，９ａの左右の側縁を保持させ、キャップ材９ｂを取り付けた構成である。
【００５２】
前記保持部材（８ａ，８ｂ）は、略左右対称の部材であって、支持部材４に固定する略門型のタイトフレーム８ａと、該タイトフレーム８ａの略中央の横片に下方からボルトナットにて留め付けた受支材８ｂとからなる。
タイトフレーム８ａは、例えば短幅の帯状鋼材を折り曲げ成形してなり、略中央の横片８３から左右に脚部８１，８１を有し、各脚部８１の下端に下面が支持部材４と接する固定部８２を有する。
受支材８ｂは、略垂直状に起立する受支面８５，８５を前後に有する側断面略Ｕ字状のピース材であり、各受支面の下方には左右に張り出した部分が形成され、その下方が前記外装材９ａの第１嵌合部９２１が嵌合する被嵌合部８４である。また、受支面の上縁を前後方向に折り曲げ、前記外装材９ａの裏面を安定に保持できるようにしている。さらに、この受支面の略中央上端には、前記外装材９ａの断面略Ｕ字状の第２嵌合部９２２を上方から嵌合可能な矩形状の溝部８５が設けられている。
【００５３】
前記保持部材（８ａ，８ｂ）に保持させる外装材９ａは、略平坦状の面板部９１の左右の側縁に左右対称の傾斜状の立ち上げ部９２，９２を有する構成であり、この立ち上げ部９２の高さの途中には、前記受支材８ｂに嵌合状に取り付けるための第１嵌合部９２１が設けられ、該第１嵌合部９２１の上方に、前記受支材８ｂに支持される部分を介し、その先端には、受支材８ｂの略中央上端に形成された溝部８５に上方から嵌合させる断面略Ｕ字状の第２嵌合部９２２を有する構成である。
【００５４】
前記外装材９ａと共に外装面を形成するキャップ９ｂは、左右方向に隣接する外装材９ａ，９ａの立ち上げ部９２，９２間に配設されるものであって、前記外装材９ａと同様な素材から成形されるものであり、略傘状の化粧部９３の左右の側縁に設けた嵌合部９４，９４を、前記外装材９ａ，９ａの第１嵌合部９２１，９２１の裏面に嵌合させて取り付けられる構成である。
【００５５】
このような構成を有する改修構造は、前述のように容易に設置した持出部材１に、受部材２を介して桁行き方向に取り付けた支持部材４に対し、新たな屋根構造を取り付けたものであって、取り付ける屋根構造は、図示するように既設屋根と全く同様の構成でもよいし、その構成について全く制限されるものではないため、各種メーカー及び各種寸法、各種仕様の屋根構造を適用することができ、極めて実用的価値が高いものである。
【００５６】
図６に示す本発明の持出部材の設置構造の第２実施例は、下側金具１Ｘの連結受部１７と上側金具１Ｙの連結部１８とを接合するように固定する態様が前記第１実施例とは異なり、側方から連結部１７を連結受部１８に沿わせて端縁を係止する第２の態様にて固定する例である。
【００５７】
この第２実施例における前記下側金具１Ｘは、図６（ｄ）の下段に示すように取り付ける縦葺き外装構造の山状部分２１の頂部及び傾斜面と略同一の断面形状を有し、山状部分２１の頂部に上面部１２を載置状に配し、傾斜面に脚部１１，１１を沿わせた状態で固定具１ｄにて固定される点については前記第１実施例における下側金具１Ａと全く同様であるが、連結受部１７，１７は、傾斜面と所定間隔を隔てて略平行状に外側に位置するように成形されている。
【００５８】
また、この第２実施例における前記上側金具１Ｙは、図６（ｄ）の上段に示すように山状部分２１や前記下側金具１Ｘと略同一の断面形状を有し、その頂部には取付ボルト１ｉが固着され、前記下側金具１Ｘの脚部１１，１１を覆う被覆部１５，１５と、前記下側金具１Ｘの連結受部１７と接合状に固定される連結部１８とを備え、前記連結部１８は、傾斜面状の下端を裏面側へ折り返した形状（横溝状）に成形されている。この連結部１８の折り返し部分（横溝部分）の流れ方向の両端部付近には、切り欠き１８１，１８１を形成し、その外側の端部１８２，１８２を爪状の係止部（潰し部）としている。
この上側金具１Ｙには、前記第１実施例のように支持金具１Ｃを取り付ける構成の代わりに取付ボルト１ｉが直接的に上向きに固着され、図示しない支持部材を配する際には、取付ナット１ｊを上方から取り付けて固定すればよい。
【００５９】
そして、これらの下側金具１Ｘ、上側金具１Ｙから構成される持出部材１'を屋根面２に設置する手順は、以下のとおりである。すなわち第２実施例の持出部材１'の設置施工方法は、以下の手順にて行われる。
【００６０】
まず、第１の工程として、図７（ａ）に示すように屋根面２の山状部分２１に前記構成の下側金具１Ｘを左右２箇所ずつ合計４箇所に固定具１ｄにて固定する。
次に、図７（ｂ）に示すように前記下側金具１Ｘを覆うように、内面に弾性止水材３ｄを添設した防水カバー３ｃを上方から被せる。
【００６１】
その後、第２の工程として図７（ｃ）に符号(1)にて示すように前記防水カバー３ｃを上方から押さえながら下側金具１Ｘの脚部１１を上側金具１Ｙの被覆部１５で覆い、下側金具１Ｘの連結受部１７の端部（奥側端部）に上側金具１Ｙの連結部（横溝部分）１８の手前側端部を引っかけ、符号(2)にて示すように奥側（水上側）から手前側（水下側）へ横溝部分に挿通させつつスライドさせる。図７（ｄ）では右側（水上側）から左側（水下側）へ矢印にて示すようにスライドさせる。
そして、図７（ｅ）に示すように上側金具１Ｙが防水カバー３ｃに完全に重なったら、上側金具１Ｙの四隅の端部（爪）１８２を倒して（＝横溝部分を潰して）係止部として流れ方向へのズレ防止を行う。なお、予め水上側の２箇所の端部（爪）１８２，１８２は倒しておいてもよい。
【００６２】
このように第２の実施例では、山状部分２１を備える屋根面２に、脚部１１と連結受部１７とを備える下側金具１Ｘを固定具１ｄにて固定し、前記脚部１１を覆う被覆部１５と連結部１８とを備える上側金具１Ｂを覆うように配し、下側金具１Ｘの連結受部１７に上側金具１Ｙの連結部１８を側方から沿わせて端縁を係止した。
したがって、固定具１ｄによって形成される穿孔への雨水の浸入を上側金具１Ｙが阻止し、確実に屋根面２上に取り付けることができる。
【００６３】
また、この第２実施例では、前記第１実施例のように締着具（１ｅ，１ｆ）、或いはスパナやレンチ等の締め付け用治具を必要とせず、側方からスライドさせて容易に取付作業を行うことができる。
【符号の説明】
【００６４】
１  持出部材
１Ａ  下側金具
１Ｂ  上側金具
１Ｃ  支持金具
１ｄ  固定具
１ｅ  締着ボルト
１ｆ  締着ナット
１ｇ  取付ボルト
１ｈ  取付ナット
１Ｘ  下側金具
１Ｙ  上側金具
１１  脚部
１２  上面部
１３  連結受部
１４  取付受部
１５  被覆部
１６  連結部
１７  連結受部
１８  連結部
２  屋根面
２１  山状部分
２２  谷状部分
３ａ  止水ゴム
３ｂ  防水材
３ｃ  防水カバー
３ｄ  弾性止水材
４  支持部材
４１  垂木
４２  躯体
４３  下地材
４４  木毛セメント板又は断熱材
５  横葺き外装材
６ａ  縦桟
６ｂ  ジョイント部材
７  外設部材（太陽電池システム）
８ａ，８ｂ  保持部材
９ａ  （縦葺き）外装材
９ｂ  キャップ材
【図１】
2011117272.tif 000003
【図２】
2011117272.tif 000004
【図３】
2011117272.tif 000005
【図４】
2011117272.tif 000006
【図５】
2011117272.tif 000007
【図６】
2011117272.tif 000008
【図７】
2011117272.tif 000009